(57)【要約】【課題】簡易な構成でありながら、観察面に対して開口部を当接させる調整作業が行い易い撮像装置を提供する。【解決手段】撮像装置１０は、先端開口部６ａが端部に形成されたカメラ筐体８と、カメラ筐体８内に配設され、先端開口部６ａを経た光を集光して像を結像する対物レンズ３、結像レンズ４と、対物レンズ３、結像レンズ４により結像された像を撮像するための撮像素子５と、カメラ筐体８に対して外部に延びて取り付けられた手持ちハンドル２とを備えて構成され、先端開口部６ａを観察対象物が存在する観察面Ｂに当接させるとともに、観察面Ｂに対してカメラ筐体８を所定角度に保持して、先端開口部６ａが当接した観察面Ｂの像を対物レンズ３、結像レンズ４により撮像素子５の撮像面に結像させて撮像する撮像装置であって、カメラ筐体８と手持ちハンドル２とが、カメラ筐体８と手持ちハンドル２とを揺動自在に連結する揺動連結機構を介して連結される。【選択図】図３
2011002585.tif 000002
【特許請求の範囲】
【請求項１】
観察用開口が端部に形成された筐体と、
前記筐体内に配設され、前記観察用開口の開口端に対して所定距離離れて配置され、前記観察用開口の開口端の内周側に位置する観察対象物から前記観察用開口を経た光を集光し、前記観察対象物の像を結像する撮像光学系と、
前記撮像光学系による前記観察対象物の像を撮像するための撮像素子と、
前記筐体に対して外部に延びて取り付けられた取っ手部とを備えて構成され、
前記観察用開口を観察対象物が存在する表面に当接させるとともに、前記表面に対して前記筐体を所定角度に保持して、前記観察用開口が当接した前記表面の像を前記撮像光学系により前記撮像素子の撮像面に結像させて撮像する撮像装置であって、
前記筐体と前記取っ手部とが、前記筐体と前記取っ手部とを揺動自在に連結する揺動連結機構を介して連結されたことを特徴とする撮像装置。
【請求項２】
前記筐体の端部の所定位置に、端部が前記撮像光学系の光軸に対して略垂直になる同一面内に位置する少なくとも３つの突起部が前記観察用開口を囲むように固定されており、
前記観察用開口に設けられた前記筐体の先端部が、前記突起部の突出方向に移動自在となるように前記筐体の本体部に取り付けられて前記筐体が構成され、
前記先端部は、前記突出方向に付勢されて前記突起部より外方に突出する位置に保持されており、
前記突起部を観察対象物が存在する表面に押し付けることにより、前記表面に対して前記筐体を前記所定角度に保持するとともに、前記先端部が押し込まれて前記表面に当接するように構成されたことを特徴とする請求項１に記載の撮像装置。
【請求項３】
前記揺動連結機構が、
前記撮像光学系の光軸とは異なる方向に設定された揺動軸を中心に、前記取っ手部に対して前記筐体を揺動自在に支持する揺動支持機構と、
前記揺動軸に対して交差する回転軸を中心に、前記取っ手部に対して前記筐体を回転自在に支持する回転支持機構とを備えたことを特徴とする請求項１または２に記載の撮像装置。
【請求項４】
前記揺動連結機構は、前記取っ手部に対して前記筐体を所定揺動角度位置に保持する角度位置保持手段を備えており、
前記角度位置保持手段は、前記取っ手部に対して前記筐体が揺動して揺動角度位置が変位したときに、前記筐体を前記所定揺動角度位置に戻すように付勢する構成であることを特徴とする請求項１〜３のいずれかに記載の撮像装置。
【請求項５】
前記筐体の内部に、前記観察用開口に向けて照明光を照射する光源を備えたことを特徴とする請求項１〜４のいずれかに記載の撮像装置。
【請求項６】
前記撮像光学系が観察対象物が存在する表面の像を拡大して前記撮像素子の撮像面に結像させる構成であることを特徴とする請求項１〜５のいずれかに記載の撮像装置。
【発明の詳細な説明】
【技術分野】
【０００１】
本発明は、観察面の像を撮像する撮像装置に関する。
【背景技術】
【０００２】
従来、観察面の微細な形状を観察するために、携帯型の顕微鏡が開発されている（例えば、特許文献１を参照）。本出願人は、携帯型の顕微鏡に撮像素子を搭載することにより、観察面の像を撮像できるように構成された撮像装置を開発している。この撮像装置を用いて観察面の像を撮像する場合、観察者はカメラ筐体を握り、観察面に対してカメラ筐体の先端部を当接させる。このとき、カメラ筐体に組み込まれた撮像光学系の光軸が観察面と正しく（垂直に）当接するように、カメラ筐体の向き、すなわち角度位置を調整する必要がある。この調整は、カメラ筐体を握った手を動かすことにより、観察面に対するカメラ筐体の角度を変化させて、観察面と撮像光学系が組み込まれたカメラ筐体の開口部とを正しく当接させる（観察面に対して光軸を垂直に位置させる）ことにより行われる。このように正しく当接させた状態で撮像することにより、ピントずれのない鮮明な観察面の像が撮像できる。
【先行技術文献】
【特許文献】
【０００３】
【特許文献１】特開２００１−２０８９８０号公報
【発明の概要】
【発明が解決しようとする課題】
【０００４】
ところで、上記撮像装置を用いて、例えば自動車ボディの裏面等の直接目視することが困難で、且つ観察スペースが限られた観察面を観察したい場合がある。この場合、直接目視できない箇所に位置する観察面に対して、カメラ筐体の先端の開口部の全面を、正しい角度で当接させる作業を手探りで行うこととなる。しかし、直接目視をすることができない部分は、使用者の手に届きにくかったり、使用者の手や腕の関節を無理に曲げないと、観察面が撮像光学系の光軸に垂直にならなかったりする。そのため、その作業が難しいという問題がある。例えばカメラ筐体の角度を変化させるように、狭い観察スペース内において、カメラ筐体を握る手を無理に動かす必要となることもある。また、観察面の傾斜角度によっては、開口部と観察面とが正しく当接するように、狭い観察スペース内においてカメラ筐体を握る腕を大きく曲げる必要となることもある。そのため、開口部と観察面とを手探りで正しい角度で当接させる調整作業が難しいという課題があった。
【０００５】
本発明は、このような課題に鑑みてなされたものであり、簡易な構成でありながら、観察面に対して開口部を正しい角度で当接させる調整作業が行い易い撮像装置を提供することを目的とする。
【課題を解決するための手段】
【０００６】
このような目的達成のため、本発明に係る撮像装置は、観察用開口が端部に形成された筐体と、前記筐体内に配設され、前記観察用開口の開口端に対して所定距離離れて配置され、前記観察用開口の開口端の内周側に位置する観察対象物から前記観察用開口を経た光を集光し、前記観察対象物の像を結像する撮像光学系と、前記撮像光学系による前記観察対象物の像を撮像するための撮像素子と、前記筐体に対して外部に延びて取り付けられた取っ手部とを備えて構成され、前記観察用開口を観察対象物が存在する表面に当接させるとともに、前記表面に対して前記筐体を所定角度に保持して、前記観察用開口が当接した前記表面の像を前記撮像光学系により前記撮像素子の撮像面に結像させて撮像するように構成されており、前記筐体と前記取っ手部とが、前記筐体と前記取っ手部とを揺動自在に連結する揺動連結機構を介して連結されている。
【０００７】
なお、上記撮像装置において、前記筐体の端部の所定位置に、端部が前記撮像光学系の光軸に対して略垂直になる同一面内に位置する少なくとも３つの突起部が前記観察用開口を囲むように固定されており、前記観察用開口に設けられた前記筐体の先端部が、前記突起部の突出方向に移動自在となるように前記筐体の本体部に取り付けられて前記筐体が構成され、前記先端部は、前記突出方向に付勢されて前記突起部より外方に突出する位置に保持されており、前記突起部を観察対象物が存在する表面に押し付けることにより、前記表面に対して前記筐体を前記所定角度に保持するとともに、前記先端部が押し込まれて前記表面に当接するように構成されたことが好ましい。
【０００８】
また、上記撮像装置において、前記揺動連結機構が、前記撮像光学系の光軸とは異なる方向に設定された揺動軸を中心に、前記取っ手部に対して前記筐体を揺動自在に支持する揺動支持機構と、前記揺動軸に対して交差する回転軸を中心に、前記取っ手部に対して前記筐体を回転自在に支持する回転支持機構とを備えた構成であることが好ましい。
【０００９】
さらに、上記撮像装置において、前記揺動連結機構は、前記取っ手部に対して前記筐体を所定揺動角度位置に保持する角度位置保持手段を備えており、前記角度位置保持手段は、前記取っ手部に対して前記筐体が揺動して揺動角度位置が変位したときに、前記筐体を前記所定揺動角度位置に戻すように付勢する構成であることが好ましい。
【００１０】
上記撮像装置において、前記筐体の内部に、前記観察用開口に向けて照明光を照射する光源を備えた構成であることが好ましい。
【００１１】
上記撮像装置において、前記撮像光学系が観察対象物が存在する表面の像を拡大して前記撮像素子の撮像面に結像させる構成であること、すなわち前記撮像装置が顕微鏡撮像装置であることが好ましい。
【発明の効果】
【００１２】
本発明によれば、簡易な構成でありながら、観察面に対して開口部を正しく当接させる調整作業が行い易い撮像装置を提供できる。
【図面の簡単な説明】
【００１３】
【図１】本発明の実施例１に係る撮像装置の外観斜視図である。
【図２】上記撮像装置の側面図（一部断面図）である。
【図３】上記撮像装置の側面図（一部断面図）である。
【図４】本発明の実施例２に係る撮像装置の側面図（一部断面図）である。
【図５】上記撮像装置の側面図（一部断面図）である。
【図６】上記撮像装置の側面図（一部断面図）である。
【図７】本発明の実施例３に係る撮像装置の側面図（一部断面図）である。
【発明を実施するための形態】
【００１４】
以下、本発明の好ましい実施形態である実施例１〜３について、図面を参照しながら説
明する。
【実施例１】
【００１５】
図１〜３を参照しながら、実施例１に係る撮像装置１０の構成について説明する。撮像装置１０は、図１に示すように、手持ちハンドル２およびカメラ筐体８を備えて構成され、カメラ筐体８の先端側に位置し、先端開口部６ａを有した当接部材６およびこれに一体に結合された本体部７から構成される。撮像装置１０を構成するカメラ筐体８の内部には、当接部材６の先端に形成された先端開口部６ａに向けて照明光を照射する光源（図示せず）、および本体部７の内部に電源（図示せず）を備えて構成される。この電源により、上記光源を点灯させたり、後述する撮像素子３を駆動させるようになっている。
【００１６】
カメラ筐体８の内部にはさらに、図２に示すように、先端開口部６ａに近い方から順に、対物レンズ３、結像レンズ４および撮像素子５が光軸Ｋに沿って並んだ状態で収容保持されている。なお、対物レンズ３および結像レンズ４が特許請求の範囲の撮像光学系に該当し、この撮像光学系は観察対象物から先端開口部６ａの内側を通過した光を集光し、観察対象物の像を形成する。この像は、撮像素子５の撮像面に結像されるように構成されている。なお、撮像装置１０は顕微鏡タイプの撮像装置が好ましいが、これに限られるものではなく、拡大率は適宜設定可能である。当接部材６は、例えば透明なアクリル樹脂からなる。そのため、外部の光を先端開口部６ａの内周側に導入可能である。また、当接部材６は、外形が略半球状で内部が中空に形成されるとともに、先端に円形開口を有した先端開口部６ａが形成されている。この開口形状は円形に限られず矩形状であっても良い。
【００１７】
先端開口部６ａは、図３に示すように、撮像を行う観察面Ｂに対してこの先端開口部６ａの外側の全面を当接させることにより観察面Ｂと光軸Ｋとがほぼ直交するように、当接部材６の先端に形成されている。また、先端開口部６ａの位置は、対物レンズ３および結像レンズ４からなる撮像光学系において、撮像素子５と共役な位置となるように設定されている。このように、観察面Ｂに先端開口部６ａの全面を当接させたときの観察面Ｂに対するカメラ筐体８の向きが、特許請求の範囲に規定する所定角度を意味する。上述のように当接部材６は、透明なアクリル樹脂を用いて形成されているため、外部の光により観察面Ｂを照明することが可能である。このため、外部が明るい状態で撮像装置１０を用いて観察面Ｂの撮像観察を行うときには、光源による照明を行わずに観察可能となる。
【００１８】
この構成より、図３に示すように、観察面Ｂからの光は、先端開口部６ａ、対物レンズ３および結像レンズ4を通って撮像素子５の撮像面に導かれ、撮像素子５において観察面Ｂ（先端開口部６ａの開口に対向する部分）の像（拡大像）が結像されるようになっている。このとき、先端開口部６ａの全体が観察面Ｂに正しく当接して光軸Ｋが観察面Ｂと直角になる状態では、観察面Ｂの像が、撮像素子５の撮像面全域にわたってボケの少ない状態で結像される。
【００１９】
撮像素子５で撮像され、図示しない画像処理回路で画像処理された画像信号は、撮像装置１０の外部に設けられたディスプレイ（図示せず）へ出力可能となっている。それゆえ、撮像素子５において撮像された像がディスプレイに出力されて表示される。なお、撮像素子５で撮像され、図示しない画像処理回路で画像処理された画像信号を、撮像装置１０に対して着脱自在に搭載された記憶用メモリ（図示せず）に記憶させる構成でも良い。この構成の場合、撮像された像を観察するときには、撮像装置１０から記憶用メモリを取り外して、パソコン等に読み込ませてディスプレイに表示させて観察する。
【００２０】
手持ちハンドル（取っ手部）２は、図１に示すように、上ハンドル部２ａおよび下ハンドル部２ｂから構成される。下ハンドル部２ｂには、観察者が把持しやすいようにグリップ部２ｄが形成されている。上ハンドル部２ａと下ハンドル部２ｂとは、回転支持機構（図示せず）により連結されており、上ハンドル部２ａ（カメラ筐体８）に対して下ハンドル部２ｂが両者の中心を通って延びる回転軸Ｈを中心に回転自在となっている。上ハンドル部２ａは、光軸Ｋに対して交差する向きにカメラ筐体８に取り付けられた枢結ピン２ｃを介して、カメラ筐体８に枢結されており、手持ちハンドル２に対してカメラ筐体８は枢結ピン２ｃを中心に揺動自在となっている。なお、手持ちハンドル２は撮像スイッチ（図示せず）を備えており、この撮像スイッチを押すことにより、先端開口部６ａの内周にある物体の像が撮像される。本実施例１においては、枢結ピン２ｃが、光軸Ｋに対して直交する向きにカメラ筐体８に枢結された構成を例示しているが、これに限られるものではない。
【００２１】
また、手持ちハンドル２には回転位置保持ばね（図示せず）が内蔵されている。この回転位置保持ばねにより、上ハンドル部２ａに対して下ハンドル部２ｂが回転されたとき、この回転方向が左右いずれであっても下ハンドル部２ｂを初期回転位置（例えば図１に示すように、グリップ部２ｄが当接部材６の方向に向いた回転位置）に戻すように付勢力が付与される。また、同様に手持ちハンドル２に対してカメラ筐体８が揺動されたとき、カメラ筐体８を初期揺動位置（例えば図２に示すように、光軸Ｋと回転軸Ｈとが直交する揺動位置）に戻すように揺動位置保持ばね（図示せず）が設けられている。
【００２２】
以上ここまで、撮像装置１０の構成について説明した。以下において、撮像装置１０を用いて観察面Ｂの像を撮像する撮像方法について、図２および図３を参照しながら説明する。この撮像装置１０による撮像は、観察者（撮像操作を行う操作者）が手持ちハンドル２のグリップ部２ｄを握って撮像装置１０を手で持ち、当接部材６の先端部を観察面Ｂに当接させて行う。このとき、前述したように、カメラ筐体８内に配設された撮像光学系の光軸Ｋが観察面Ｂと直角となって（このときカメラ筐体８が観察面Ｂに対して請求の範囲に規定する所定角度を向く状態となる）、図３に示すように先端開口部６ａの全体が観察面Ｂと正しく当接したときに観察面Ｂの像が合焦状態（ピントが合った状態）で撮像素子５の撮像面に結像されるようになっている。このため、例えば、図２に示すように、光軸Ｋが観察面Ｂに対して傾いて（カメラ筐体８が所定角度を外れた傾きとなって）先端開口部６ａの一端が当接する状態のときには、観察面Ｂは先端開口部６ａから離れた状態となり、撮像素子５の撮像面に観察面Ｂの像を結像できないもしくはピンぼけ状態で結像されることとなる。
【００２３】
このため、観察者は手で持った撮像装置１０の先端部６を観察面Ｂに当接させたときに、図２のように光軸Ｋが直角から外れて傾いた状態で先端開口部６ａを当接する状態となったときには、カメラ筐体８の傾きを調整して、図３に示すように光軸Ｋが観察面Ｂと直交して（カメラ筐体８が観察面Ｂに対して所定角度を向く状態として）先端開口部６ａを観察面Ｂに正しく当接させる必要がある。このように、カメラ筐体８の向きを調整するときに、撮像装置１０においては、手持ちハンドル２に対してカメラ筐体８が揺動自在であり、且つ手持ちハンドル２を構成する上ハンドル部２ａ（カメラ筐体８に枢結された部分）に対して下ハンドル部２ｂ（グリップ部２ｄを有する部分）が回転自在であるため、使用者は腕や手の関節を無理に曲げなくとも、これら揺動および回転を利用してカメラ筐体８の向きの調整を簡単に行うことができる。
【００２４】
また、撮像装置１０においては、上述のように、当接部材６を観察面Ｂから離すと（フリーな状態にすると）、回転位置保持ばねおよび揺動位置保持ばねの付勢力により手持ちハンドル２に対してカメラ筐体８が、上記所定の初期回転位置および所定の初期揺動位置に自動的に戻るように構成されている。そのため、観察開始前には常に、手持ちハンドル２に対してカメラ筐体８が所定の向きになっているので、使い勝手が良い。
【００２５】
この撮像装置１０を用いて、例えば自動車ボディの裏面に取り付けられた部品の拡大像を得るような場合に、観察者が手持ちハンドル２（グリップ部２ｄ）を握り、入り組んだ部品の合間を縫うようにして撮像装置１０を導く必要があって、直接目視での観察が困難で、且つ手持ちハンドル２（グリップ部２ｄ）を握る手の向き変化させにくい狭い場所に、撮像対象である部品の取り付けられた観察面Ｂが位置していることがある。この場合、観察面Ｂの像をピントが合った状態で撮像素子５の撮像面に結像させるために、観察面Ｂに対して先端開口部６ａの全面を正しく当接させる調整作業を手探りで行う必要がある。このように手探りで調整作業を行う場合、撮像装置１０は上述のように、手持ちハンドル２に対してカメラ筐体８が揺動自在であり、且つ上ハンドル部２ａに対して下ハンドル部２ｂが回転自在であるため、手探りの状態でありながら観察面Ｂを当接部材６の先端に当接させて、撮像装置１０の姿勢が安定した状態になれば、観察面Ｂが光軸Ｋと所定の角度関係になっていることが分かるので、カメラ筐体８の向きの調整を簡単に行うことができる。
【００２６】
すなわち従来の構成においては、カメラ筐体に対して手持ちハンドルが固定されていたため、手持ちハンドルを把持する手（腕）を傾けた方向にしか観察面Ｂに対してカメラ筐体を揺動させることができず、カメラ筐体の向きの調整作業が困難であった。これに対して、本発明を適用した撮像装置１０は上述のように、手持ちハンドル２に対してカメラ筐体８が揺動自在であり、且つ上ハンドル部２ａに対して下ハンドル部２ｂが回転自在であるため、手持ちハンドル２を把持する手（腕）を傾けた方向以外の方向にもカメラ筐体８を揺動させることが可能である。そのため、従来の構成と比較して、カメラ筐体８の向きを調整して先端開口部６ａの全体に観察面Ｂを正しく当接させる作業を、格段に容易且つ短時間のうちに行うことができ、自動車ボディの裏面のような直接目視での観察が困難で、且つ手持ちハンドル２（グリップ部２ｄ）を握る手の向き変化させにくい狭い場所に位置した観察面Ｂを観察する場合でも、手探りでカメラ筐体８の向きの調整を簡単に行うことができる。
【実施例２】
【００２７】
図４〜６を参照しながら、実施例２に係る撮像装置２０の構成について説明する。なお、上述の実施例１に係る撮像装置１０と同一部材には同一番号を付し、以下においては、実施例１に係る撮像装置１０とは異なる構成を中心に説明する。撮像装置２０は、図４に示すように、手持ちハンドル２およびカメラ筐体２８を備えて構成され、カメラ筐体２８が先端側に位置する当接部材２６およびこれとは別体の本体部２７から構成される。ここでは、当接部材２６が特許請求の範囲における先端部に該当し、当接部材２６と本体部２７とから特許請求の範囲における筐体が構成される。本体部２７の先端部には、３つの支持突起２２が設けられている。また、上述の実施例１に係る撮像装置１０と同様に、撮像装置２０は、図示しない電源および光源を備えている。
【００２８】
３つの支持突起２２は、本体部２７の端部に固定されて、光軸Ｋ方向に延びている。
支持突起２２の長さは、３つの支持突起２２に当接する位置にある物体の像が、対物レンズ３、結像レンズ４からなる撮像光学系により撮像素子５に結像されるように設定されている。そして、３つの支持突起２２の全てを含む面は、対物レンズ３、結像レンズ４からなる撮像光学系の光軸Ｋに対して垂直となっている。この支持突起２２の先端部は略半球状に形成されており、観察面Ｂの撮像観察を行うときには、この先端部が観察面Ｂが存在する面に対して点接触するようになっている。また、支持突起２２は、先端側から見て、当接部材２６の先端に形成された先端開口部２６ａを囲むように、先端開口部２６ａに対して光軸Ｋから離れた外側に位置している。なお、図４〜６には、便宜上２つの支持突起２２を図示しているが、実際には上述のように３つの支持突起２２が等角度間隔で設けられている。この支持突起２２の数は３つ以上であれば良いが、支持安定性から見て３つが適切である。
【００２９】
当接部材２６は、例えば透明なアクリル樹脂を用いて、略半球状で内部が中空に形成されており、先端に先端開口部２６ａが形成されている。また、当接部材２６は、本体部２７に対して光軸Ｋ方向に移動自在に取り付けられて押圧ばね２１により先端側方向に押圧付勢されている。そして、当接部材２６がフリーな状態のときには、図４に示すように、押圧ばね２１の付勢により先端開口部２６ａが支持突起２２の先端部よりも先端側へ突出した状態となっている。当接部材２６には、３つの支持突起２２に対応させて突起用開口部２６ｂが形成されており、当接部材２６が本体部２７側へ押圧されて押圧ばね２１の付勢に抗して移動したときに、当接部材２６と支持突起２２とが干渉することなく、当接部材２６の移動を許容する構成となっている。
【００３０】
後述するように、この撮像装置２０を用いて観察面Ｂの撮像を行うとき、観察面Ｂの存在する面に対して当接部材２６を押し当てて当接部材２６を本体部２７側へ移動させて、観察面Ｂと３つの支持突起２２の先端部の各々とを当接させた状態で撮像を行う。このように３つの支持突起２２の全ての先端が観察面Ｂの存在する面と当接させる状態にするときに、当接部材２６の先端開口部２６ａが観察面Ｂと当接して押圧ばね２１の付勢に抗して押し込まれ、３つの支持突起２２の全ての先端が観察面Ｂの存在する面と当接するとともに先端開口部２６ａも観察面Ｂと当接する状態となる（図５および図６参照）。この状態において、先端開口部２６ａの全体が観察面Ｂと当接して光軸Ｋが観察面Ｂと直角になるように構成されている。さらにこの状態で、先端開口部２６ａを通して見た観察面Ｂの像が、対物レンズ３および結像レンズ４により撮像素子５の撮像面にジャストピント状態で結像されるように構成されている。このように、観察面Ｂの存在する面に対して当接部材２６を当ててから、さらに押し込んで３つの支持突起２２が観察面Ｂの存在する面に当接させる動作を観察者に行わせるようにしている。これにより、観察者は、観察面Ｂを直接目視できない位置から撮像装置２０を当接させる動作を行う場合において、観察面Ｂの存在する面に対して撮像装置２０が正しい角度に設定されたことを、より明確に知覚できる。なお、カメラ筐体２８に取り付けられた手持ちハンドル（取っ手部）２は、上述の実施例１と同一であるのでその説明は省略する。
【００３１】
以上、撮像装置２０の構成について説明した。以下において、撮像装置２０を用いて観察面Ｂの像を撮像する撮像方法について、図４〜６を参照しながら説明する。この撮像装置２０は、図６に示すように、観察面Ｂに対して３つの支持突起２２の先端部を当接させて行われ、これにより上述したように先端開口部２６ａの全体が観察面Ｂと当接して光軸Ｋが観察面Ｂと直角となって（カメラ筐体２８が所定角度となって）、観察面Ｂの像がピントの合った状態で撮像素子５の撮像面に結像される。
【００３２】
このように、実施例２の撮像装置２０の場合には、観察面Ｂに対して３つの支持突起２２を点接触させれば先端開口部２６ａが観察面Ｂに正しく当接して撮像を行うことができる構成であり、実施例１におけるように先端開口部２６ａを面接触させる場合と比較して、観察面Ｂに起伏（凹凸）がある場合においてもこの起伏に邪魔されることが少なくなり、精度良くカメラ筐体２８を所定角度に位置させることができる。また、３つの支持突起２２が先端開口部２６ａの外側に位置しているので、例えば実施例１におけるように、当接部材２６が本体部２７に固定されて、先端開口部２６ａの全体を観察面Ｂに当接させてカメラ筐体２８を所定角度に位置させる構成と比較して、カメラ筐体２８が所定角度に位置した状態を安定して保持できる。
【００３３】
この撮像装置２０では、例えば、観察面Ｂに対して当接部材２６の一部のみが当接してカメラ筐体２８が所定角度を外れた傾きとなる状態においては、実施例１の場合と同様に、撮像素子５の撮像面に観察面Ｂの像を結像できないもしくはピンぼけ状態で結像されることとなる。このため、観察者は観察面Ｂに対して３つの支持突起２２を当接させるように傾き調整を行い、カメラ筐体２８の傾きを調整して、図５に示すように光軸Ｋが観察面Ｂに対して直交するように位置させ、この状態でカメラ筐体２８を観察面Ｂに押し付けて、図６に示すように観察面Ｂに対して３つの支持突起２２を当接させる必要がある。このようにカメラ筐体２８の向きを調整するとき、撮像装置２０においても、手持ちハンドル２に対してカメラ筐体２８が揺動自在であり、且つ上ハンドル部２ａに対して下ハンドル部２ｂが回転自在であるため、これら揺動および回転を利用してカメラ筐体２８の向きの調整を簡単に行うことができる。
【実施例３】
【００３４】
図７を参照しながら、実施例３に係る撮像装置３０の構成について説明する。撮像装置３０は、手持ちハンドル２およびカメラ筐体３８を備えて構成され、カメラ筐体３８が先端側に位置する当接部材３６およびこれに一体に結合された本体部３７から構成される。上記本体部３７の内部に、光源３１および照明用レンズ３２が配設されている。なお、上述の実施例１に係る撮像装置１０と同一部材には同一番号を付し、以下においては、実施例１に係る撮像装置１０とは異なる構成を中心に説明する。
【００３５】
光源３１は、複数のＬＥＤ３１ａをリング状に並べて構成されており、当接部材３６に向けて照明光を照射可能に本体部７の内部に配置されている。照明用レンズ３２はリング状に形成されており、光源３１に隣接するように本体部７の内部に配置されている。この構成より、照明用レンズ３２は、光源３１からの照明光を入射させて後述する先端開口部３６ａに向けて照射する。
【００３６】
当接部材３６は、例えばアクリル樹脂を用いて略円筒状に形成されるとともに、先端に先端開口部３６ａが形成されている。この当接部材３６の色は、透明でも着色されていても良く、特に限定されないが、透明であれば上述したように外部の光を内部に導入して光源３１からの照明を不要とすることができる。撮像装置３０においても、上述の実施例１と同様に、対物レンズ３および結像レンズ４に対する先端開口部３６ａおよび撮像素子５の位置は、先端開口部３６ａの全体に当接した観察面Ｂからの光が、対物レンズ３および結像レンズ４を透過して撮像素子５の撮像面に導かれて、撮像素子５の撮像面においてピントずれのない鮮明な観察面Ｂの像が結像されるように設定されている（図７参照）。
【００３７】
この撮像装置３０を用いて観察面Ｂを撮像する場合、上述の撮像装置１０と同様に、観察面Ｂに対して光軸Ｋが直角から外れて傾いた状態で先端開口部３６ａを当接させたときには、カメラ筐体８の傾きを調整して、図７に示すように光軸Ｋが観察面Ｂと直交して先端開口部３６ａを観察面Ｂに正しく当接させる必要がある。上記のカメラ筐体８の向きを調整するとき、この撮像装置３０においても、手持ちハンドル２に対してカメラ筐体８が揺動自在であり、且つ上ハンドル部２ａに対して下ハンドル部２ｂが回転自在であるため、これら揺動および回転を利用してカメラ筐体８の向きの調整を簡単に行うことができる。
【００３８】
撮像装置３０において、複数のＬＥＤ３１ａの全てを同時に点灯させて、先端開口部３６ａに当接した観察面Ｂを明るく照明した状態で観察面Ｂの像を撮像する方法に代えて、複数のＬＥＤ３１ａのうち、例えば観察面Ｂの状態に応じて一部のＬＥＤ３１ａのみを部分的に点灯させる方法も可能である。このように、ＬＥＤ３１ａの点灯制御を行うことにより、観察面Ｂに陰影を発生させてコントラストが一層鮮明になった像を撮像素子５の撮像面に結像させることができる。
【００３９】
上述の実施形態において、本体部７，２７，３７の内部に手持ちハンドル２の上部（上ハンドル部２ａ）が挿入された構成を例示したが、この構成に限定されない。例えば、上ハンドル部２ａを二股状に形成し、この二股状の上ハンドル部２ａにより本体部７挟む構成でも良い。このように構成すると、本体部７を光軸Ｋ方向にコンパクトに構成可能となる。
【００４０】
上述の実施形態において、手持ちハンドル２に対してカメラ筐体８が、回転軸Ｈを中心に回転自在且つ枢結ピン２ｃを中心に揺動自在となった構成を例示したが、この構成に限定されない。例えば、カメラ筐体８と手持ちハンドル２とを、例えば、ボールジョイントのようなユニバーサルジョイントにより連結した構成でも良い。
【００４１】
上述の実施形態において、撮像光学系として対物レンズ３および結像レンズ４の複数（２つ）のレンズを用いた構成を例示したが、この構成に限定されない。複数のレンズを用いることなく例えば単レンズにより、観察面Ｂからの光を撮像素子５上に導いて、撮像素子５の撮像面に観察面Ｂの像を結像させる構成でも良い。
【符号の説明】
【００４２】
Ｂ  観察面（撮像対象物、観察対象物が存在する表面）
Ｈ  回転軸
Ｋ  光軸
２  手持ちハンドル（取っ手部）
２ｃ  枢結ピン（揺動軸）
３  対物レンズ（撮像光学系）
４  結像レンズ（撮像光学系）
５  撮像素子
６ａ  先端開口部（観察用開口）
８  カメラ筐体（筐体）
１０  撮像装置
２２  支持突起（突起部）
２６  当接部材（先端部）
３１  光源
【図１】
2011002585.tif 000003
【図２】
2011002585.tif 000004
【図３】
2011002585.tif 000005
【図４】
2011002585.tif 000006
【図５】
2011002585.tif 000007
【図６】
2011002585.tif 000008
【図７】
2011002585.tif 000009